【事件の表示】
　平成　７年特許願第１５６０９４号「遊技機」拒絶査定不服審判事件〔平成　９年　１月　７日出願公開、特開平　９−　　　６９６〕について、次のとおり審決する。
【結　論】
　本件審判の請求は、成り立たない。
【理　由】
第１． 手続の経緯
　本願は、平成７年６月２２日の出願であって、平成１４年１０月９日付けで拒絶査定がなされ、これに対して、同年１１月１３日に拒絶査定に対する審判請求がなされるとともに、同年１２月５日付けで手続補正がなされたものである。
　
第２．平成１４年１２月５日付けの手続補正についての補正却下の決定
［補正却下の決定の結論］
　平成１４年１２月５日付けの手続補正を却下する。
　
［理由］
１．補正の内容
　平成１４年１２月５日付けの手続補正の内容は、特許請求の範囲を、
（１）「【請求項１】　遊技玉の走行経路を為すレールを、コーナー飾りと、板状部材との間で挟持する遊技機であって、
　上記板状部材と上記コーナー飾りとの間に、上記レールの一端において貫通穴を位置し、
　上記コーナー飾りと上記板状部材とを固定するためのビスが該貫通穴を挿通する状態で螺合されていることを特徴とする遊技機。
　【請求項２】　上記コーナー飾りに形成された、端面の縁から張り出すレール押さえ部、及び該レール押さえ部に形成されたレール押さえ部の溝と、
　上記板状部材に形成された、上記レール押さえ部の溝に整合可能な受け溝と、
により上記レールを挟持することを特徴とする請求項１記載の遊技機。」から、
　
（２）「【請求項１】　発射レールから発射された遊技玉が当接しつつ走行する円弧状の案内レールと、
　上記案内レールを支える受け溝が形成された板状部材と、
　上記受け溝に整合可能な溝が形成されたレール押さえ部を有し、上記受け溝と該レール押さえ部とで上記案内レールを円弧状に曲がった状態で挟持する部材とを備えた遊技機であって、
　上記案内レールは、一端に貫通穴が形成され、
　上記板状部材は、上記貫通穴が挿通されるボス部を備えることを特徴とする遊技機。
　【請求項２】　上記案内レールを円弧状に曲がった状態で挟持する部材は、コーナー飾りであることを特徴とする請求項１に記載の遊技機。」とする補正を含むものである。
　
２．補正の適否
　そこで、上記補正について検討する。
　補正により、請求項１の、 レールを挟持する「コーナー飾り」を、「受け溝とレール押さえ部とで案内レールを円弧状に曲がった状態で挟持する部材」へと変更している。
　また、請求項１の、「板状部材とコーナー飾りとの間に、レールの一端において貫通穴を位置し、コーナー飾りと板状部材とを固定するためのビスが貫通穴を挿通する状態で螺合されている」構成を、「案内レールは、一端に貫通穴が形成され、板状部材は、貫通穴が挿通されるボス部を備える」構成へと変更している。
　したがって、当該補正は、請求項１に記載の発明特定事項を実質的に変更するものであり、特許請求の範囲の限定的減縮、請求項の削除、誤記の訂正、及び明りょうでない記載の釈明のいずれをも目的とするものに該当しない。　
　よって、当該補正は、特許法第１７条の２第３項の規定に違反するものである。
　
３．むすび
　以上のとおりであるから、上記補正は、特許法第１７条の２第３項の規定に違反するものであり、特許法第１５９条第１項において準用する同法第５３条第１項の規定により却下すべきものである。
　
４．独立特許要件について
　上記のとおり、本件補正は、特許法第１７条の２第３項の規定に違反するものであるが、念のために、違反しない場合の独立特許要件についても検討する。
（１）補正後の本願発明
　補正後の請求項１及び請求項２に係る発明（以下、それぞれ「本願補正発明１」「本願補正発明２」という。）は、上記第２の１．（２）に記載されたとおりのものと認められる。
（２） 引用例に記載された発明
i. 引用例１
　原査定の拒絶の理由に引用文献１として引用された刊行物である特開平６−１４２３２１号公報（以下、「引用例１」という。）には、図面とともに、次の事項が記載されている。
「図１は使用状態の正面図で、図面における符号１は遊技板であり、２は内外のバンド３，４によって形成される打球誘導路、５は内バンド３によって囲まれ形成される遊技部であり、６，７，８は入賞装置並びに入賞球受口である。」（第２頁第２欄第４０−４４行）
「【０００９】ところで、内外のバンド３，４は木板製の遊技板１に対して合成樹脂製の取付基板１８，１９を介して取付けるようにしてある。取付基板１８，１９は内外のバンド３，４を止め付けるのに併せて前記表示ランプ９のカバー２０や、飾り部品２１等装飾部品類を一体に取付けるため部分的に広幅に形成してある。そしてこれら基板は下面に垂設するピン部分２２を予め遊技板に開設しておく透孔２３に係入させることによって位置決めし、釘の打ち付けによって止着してその表面に取付く内外バンドを遊技板前面に支持するようにしてある。
【００１０】図５は表示ランプ９のカバー２０の中央部で切断した断面図で、カバー２０の背面には取付基板１８と遊技板１を貫く貫通状の取付孔２４を開設し、背後からこの取付孔２４を通してストップランプ（図示せず）が臨むようにしてあり、更に飾りランプ２５の基板２６から垂下させた接続端子２７がこれに臨むようにしてある。この取付孔２４は上記ランプ類が臨む外、遊技板背後から電源となるコード（図示せず）を引き込む引き入れ口となるもので、前記内バンド３の配線室１０の端部が臨み、引き込まれたコードがここから配線室を通して各ランプに誘導されるようになっている。
【００１１】尚、図面中２８は外バンド４の内側面に沿って付設された金属製の誘導レールで、打球発射装置に向けて臨む下端の始発端側から表示ランプ９に臨んで内バンド３の端部に接続する終端に至る全長に亘り付設してある。また、２９は内バンドに植設して先端縁をガラスの背面に当接させ、不正行為を防止する突片であり、３０はゲーム完了を表示する表示ランプ９に対向するよう遊技板左上隅部に設けた入賞表示のランプである。」（第３頁第３欄第２０−４８行）
　図面の記載からみて、外バンド４は、飾りランプ２５を収納し、誘導レール２８は、円弧状であり、取付基板１９の溝と、該溝に対応する位置に設けられた外バンド４の溝との間で挟持されているものと認められる。
　以上の記載によれば、引用例１には、
「円弧状の誘導レール２８と、前記誘導レール２８を支える一方の溝が形成された取付基板１９と、前記一方の溝に対応する位置に前記誘導レール２８を支える他方の溝を有し、前記一方の溝と前記他方の溝とで前記誘導レール２８を挟持する外バンド４とを備えたパチンコ機」（以下、「引用発明」という。）
　との発明が開示されていると認めることができる。
ii.　　引用例２
　原査定の拒絶の理由に引用文献３として引用された刊行物である特開昭５６−１２１５７１号公報（以下、「引用例２」という。）には、図面とともに、次の事項が記載されている。
「本発明は、パチンコ機における打球を発射位置からゲーム面側へ発射誘導する球発射レール及びその製造方法に関する。」（第１頁右欄第９−１１行）
「１１はレール面３のほぼ全長における両側縁にレール面３に対して直角に折曲された垂片であって、その一方の垂片１１には垂片１１から下方に延出したビス止片１２が所定間隔毎に形成されている。なお、球止部４及び屈曲部５の一方の側縁にもビス止片１２が折曲されて形成されており、それら各ビス止片１２にはビス孔１３が貫設されている。このように、形成されている球発射レール１は、ビス止片１２のビス孔１３に嵌められるビス１４によって前記したようにゲーム板２に装着される。」（第２頁左下欄第３−１３行）
iii.　引用例３
　原査定の拒絶の理由に引用文献４として引用された刊行物である実願平４−８３３５３号（実開平６−３６６７４号）のＣＤ−ＲＯＭ（以下、「引用例３」という。）には、図面とともに、次の事項が記載されている。
　なお、原査定では、引用文献４は「実願平４−８３３５３号（実開平６−３６６７４号）のマイクロフィルム」となっていたが、引用文献４の頒布時期には「マイクロフィルム」ではなく、「ＣＤ−ＲＯＭ」が発行されていたため、引用文献４を「…ＣＤ−ＲＯＭ」として取り扱うこととする。
「本考案は、パチンコ機の打球発射位置に設けられる球レールに関する。」（第３頁第４行）
「レール面２及び球止部３、屈曲部５の一方側縁には所望の間隔をおいて折曲げられたビス止片８ａ〜８ｄが各々形成され、このビス止片８ａ〜８ｄにはビス孔９ａ〜９ｄが貫設されている。しかして、球レールはビス止片８ａ〜８ｄのビス孔９ａ〜９ｄに嵌められるビスによつて前記したように遊技盤に取付けられる。」（第４頁第２８行−第５頁第３行）
iv. 引用例４
　新たに引用する刊行物である特開平６−１３４１００号公報（以下、「引用例４」という。）には、図面とともに、次の事項が記載されている。
「【０１００】この基板ボックス５１０の内側前壁部の四隅部には基板取付ボス５１６が設けられている。これら基板取付ボス５１６は図８に詳しく示すように大径部５１６ａと小径部５１６ｂとからなり、その中心部にねじ孔５１６ｃが形成されている。」（第８頁第１３欄第３７−４１行）
「【０１０２】また、この第１基板５２０の四隅部には図８に詳しく示すようにそれぞれ前記基板ボックス５１０中のボス部５１６の小径部５１６ｂに嵌合される嵌合孔５２５が形成されている。」（第８頁第１４欄第２−５行）
「【０１０４】図９に詳しく示すように、これらスペーサ５３６の前端部には前記基板取付ボス５１６の小径部５１６ｂに外嵌される嵌合穴５３６ａが設けられ、後端側にはドライバ（図外）を差し込むための逃げ穴５３６ｂが設けられている。また、これら止着スペーサ５３６の中心軸上にはビス５３７を通すためのビス孔５３６ｃが設けられている。」（第８頁第１４欄第１８−２４行）
「【０１０７】図１０には、基板ボックス５１０中に第１基板５２０と第２基板５３０を設置したときの基板取付ボス５１６ｂと嵌合孔５２５と止着スペーサ５３６とビス５３７との関係を部分縦断側面図にて示す。
【０１０８】基板ボックス５１０中への第１基板５２０および第２基板５３０の設置は、同図に示すように、基板ボックス５１０の止着スペーサ５３６の小径部５１６ｂに第１基板５２０の嵌合孔５２５を外嵌させた後、第２基板５３０の止着スペーサ５３６の嵌合穴５３６ａを外嵌させてから、ビス孔５３６ｃ中を介してビス５３７をねじ孔５１６ｃ中にねじ込ませることによってなされている。このような取付け構造になっているので、止着スペーサ５３６により適宜基板５２０−５３０の間隔を保つことができる。
【０１０９】また、止着スペーサ５３６の嵌合穴５３６ａを基板取付ボス５１６の小径部５１６ｂに嵌合させて位置決めがなされるので、接続する基板５２０，５３０どうしの位置決めが明確となって組立てが容易となる。」（第８頁第１４欄第３３−５０行）
v. 引用例５
　新たに引用する刊行物である特開平１−２７０８８５号公報（以下、「引用例５」という。）には、図面とともに、次の事項が記載されている。
「セット板41には遊技盤12を取付けるとともに、取付時に位置決めの基準となるボス56が設けてある。他方、遊技盤12にはボス56に対応した基準孔58が設けてある。」（第５頁右下欄第２０行−第６頁左上欄第３行）
vi. 引用例６
　新たに引用する刊行物である特開平４−１９７３７２号公報（以下、「引用例６」という。）には、図面とともに、次の事項が記載されている。
「基枠22の下枠部22bの前面下部には第１図〜第３図に示すように合成樹脂製で発射レール用の第１セット基板37が取付けられ、この第１セット基板37の前面には斜め方向へ配列された３つの取付ボス37aが突設されるとともに、……」（第３頁左下欄第８−１２行）
「第１セット基板37の前面には上面の縦断面形状が扁平Ｖ形状で上面の側面形状がサイクロイド曲線状に若干湾曲されたレール部40aと、このレール部40aの前後端縁の中央部および内外端部にそれぞれ連接されて下方へ突出された前後３対の取付片40b,40cとを有する発射レール40が各取付ボス37aを介して位置決めされて傾斜状に取付けられている。発射レール40の後側の各取付片40bには取付ボス37aが貫挿された後孔45Bが貫設され、前側の各取付片40cは取付ボス37aの前端面にそれぞれ当接され、この前側の各取付片40cには後孔45Bより小径の前孔45Aが貫設されている。発射レール40は中央部の前側取付片40cの前孔45Aを貫通して中央部の取付ボス37aに螺嵌された取付ねじ41によって第１セット基板37に取着されるとともに、第１セット基板37は両端部の前側取付片40c、および、両端の取付ボス37aを貫通してそれぞれ下枠部22bにねじ止めされた取付ねじ41によって発射レール40とともに下枠部22bに組付けられ、発射レール40の基端は球止め片39の斜め下方に配設され、発射レール40の先端は遊技盤24のレール24aの基端部に対置されている。」（第３頁左下欄第２０行−第４頁左上欄第３行）
　
（３） 対比
　本願補正発明１と引用発明とを対比すると、引用発明の「円弧状の誘導レール２８」「誘導レール２８を支える一方の溝が形成された取付基板１９」「一方の溝に対応する位置に前記誘導レール２８を支える他方の溝を有し、前記一方の溝と前記他方の溝とで前記誘導レール２８を挟持する外バンド４」「パチンコ機」が、それぞれ本願補正発明１の「発射レールから発射された遊技玉が当接しつつ走行する円弧状の案内レール」「案内レールを支える受け溝が形成された板状部材」「受け溝に整合可能な溝が形成されたレール押さえ部を有し、上記受け溝と該レール押さえ部とで上記案内レールを円弧状に曲がった状態で挟持する部材」「遊技機」に相当する。
　そうすると、本願補正発明１と引用発明の両者は「発射レールから発射された遊技玉が当接しつつ走行する円弧状の案内レールと、上記案内レールを支える受け溝が形成された板状部材と、上記受け溝に整合可能な溝が形成されたレール押さえ部を有し、上記受け溝と該レール押さえ部とで上記案内レールを円弧状に曲がった状態で挟持する部材とを備えた遊技機」である点で一致し、以下の点で構成が相違する。
・ 相違点
　本願補正発明１は、案内レールは、一端に貫通穴が形成され、板状部材は、前記貫通穴が挿通されるボス部を備えているのに対し、引用発明は、誘導レール２８の端部に貫通穴が形成され、取付基板１９に該貫通穴が挿通されるボス部が形成されているのか否か不明である点。
　
（４） 判断
　パチンコ球を誘導するレールを固定するために、該レールに貫通穴を設けることは引用例２，３等に記載されているように周知技術であり、また、一般的に取付作業性を向上させるために、互いに固着する一方の部材に位置決め用の貫通穴を設け、他方の部材にボス部を設け、本固定の前段階として、該貫通穴に該ボス部を挿通して仮止めあるいは位置決めすることは引用例４乃至引用例６等に記載されているように周知技術である。
　そして、レールのような長尺物を何らかの固定対象に取り付ける際、その位置決めを長尺物の端部で行うことは、長尺物全体をスムーズに取り付けるために当業者が当然に留意すべき事項であるので、引用発明において、レールの一端において貫通穴を設け、取付基板１９に、該貫通穴を挿通されるボス部を備える構成することは、当業者にとって格別困難なことではないというべきである。
　そして、本願補正発明１の奏する作用・効果は、引用発明及び周知技術より当業者が予測し得る範囲内のものである。
　
　したがって、本願補正発明１は、引用発明及び周知技術に基づいて、当業者が容易に発明をすることができたものであるから、特許法第２９条第２項の規定により特許出願の際に独立して特許を受けることができないものである。
　なお、本願補正発明１が特許出願の際に独立して特許を受けることができないものである以上、本願補正発明１の従属発明である本願補正発明２については検討する必要を認めない。
　
（５）むすび
　以上のとおり、当該補正は、平成６年法律第１１６号による改正前の特許法第１７条の２第３項、又は第４項で準用する同法第１２６条第３項の規定に違反するものであり、同法第１５９条第１項で準用する同法第５３条第１項の規定により却下されるべきものである。
　
第３．本願発明について
　平成１４年１２月５日付けの手続補正は上記のとおり却下されたので、本願の請求項１及び請求項２に係る発明は、平成１４年７月１０日付けの手続補正書の特許請求の範囲の請求項１及び請求項２に記載された事項により特定されたとおりのものと認められるところ、請求項１に係る発明（以下、「本願発明」という。）は、上記第２．の１．（１）のとおりである。
　
１．引用例に記載された発明
　原査定の拒絶の理由に引用された引用例１乃至引用例３、及び、周知例として引用する引用例４には、上記第２．の４．（２）のとおりの事項が記載されている。
　また、原査定の拒絶の理由に引用文献２として引用された刊行物である実願昭６２−８２１６４号（実開昭６３−１９３０８７号）のマイクロフィルム（以下、「引用例７」という。）には、図面とともに、次の事項が記載されている。
「取付台と帯板状レールとからなり、取付台は所要の厚みに形成してレール装着面を打球誘導線に沿った弧状に形成し、該装着面に長手方向に沿って条溝を形成し、且つその縁部にレール保持部を設け、他方前記レールには両縁部に係止部を設けて上記レール保持部に係止させ前記レール装着面に沿って付設せしめる一方、前記条溝には弾性材を嵌合縮設しレールの背面を押圧してなるパチンコ機の打球誘導レール。」（第１頁第５−１３行）
「ここに示す遊技板１はパチンコ機本体に対して遊技板を着脱自在にした所謂分離式パチンコ機における遊技板であって、取付台２はこの遊技板に装備される外バンドと称される打球誘導部に当る部分、つまり遊技板の略左半部分を囲む範囲につき実施する場合を示しており、実際には第１図に示す如く外バンドの左半分に相当するものとしてある。」（第４頁第１９行−第５頁第６行）
「レール装着面５には長手方向に沿って中央部に長さの全長に亘り条溝６を形成し、この条溝の対向する内側壁面に条溝の長さに沿った溝形のレール保持部７を設けてある。」（第５頁第１４−１７行）
「取付台２を肉厚の中央部で二分割し台部分２ａ，２ｂとしたことは条溝７の成形を容易にすることにあるが、デザイン変更の面から片半、つまり上に重なる台部分２ａの変更だけで全体を変えられる利点をも考慮されていることは言うまでもない。
　この様に２つに分割された取付台２は２つの台部分２ａ，２ｂを重ね合せるに当って弾性材８とレール３を条溝６に収め、一つに組合せたのち、………次に取付台の上面から貫通状に設ける穴１１に止めビスを差し通して遊技板にネジ止めし、その組付けを完了させることになる。」（第７頁第４−１８行）
　第１図の記載からみて、台部分２ａ，２ｂより形成された取付台２は、コーナー部分に配置されているものと認められる。
　
２．本願発明と引用発明との対比
　本願発明と、引用発明とを比較すると、
　引用発明の「誘導レール２８」「取付基板１９」「パチンコ機」は、それぞれ本願発明の「遊技玉の走行経路を為すレール」「板状部材」「遊技機」に相当するものと認められる。
　また、引用発明の「外バンド４」と、本願発明の「コーナー飾り」とは、「挟持部材」であることで共通する。
　そうすると、本願発明と引用発明の両者は「遊技玉の走行経路を為すレールを、挟持部材と、板状部材との間で挟持する遊技機」である点で一致し、
　以下の点で相違しているものと認められる。
・ 相違点１
　挟持部材が、本願発明では、コーナー飾りであるのに対し、引用発明では、外バンド４である点。
・ 相違点２
　本願発明は、板状部材とコーナー飾りとの間に、レールの一端において貫通穴を位置し、コーナー飾りと板状部材とを固定するためのビスが該貫通穴を挿通する状態で螺合されているのに対し、引用発明は、外バンド４と取付基板１９との間に、レールの一端において貫通穴を位置し、外バンド４と取付基板１９とを固定するためのビスが該貫通穴を挿通する状態で螺合されている構成を備えているか否か不明である点。
　
３．当審の判断
　そこで、上記相違点について検討する。
i.　相違点１について
　引用発明の外バンド４は、引用発明を認定した引用例１の記載からみて、表示ランプ９，３０のカバー２０とともにコーナー部に装飾的効果をもたらすことが明らかであり、引用例７には、コーナー部分に配置されている台部分２ａが、デザイン変更のために変更可能であることが記載されており、その台部分２ａ自体が装飾的役割を果たしていることを考慮すれば、引用発明の外バンド４とカバー２０とを、引用例７の台部分２ａの如く、一体化して相違点１に係る本願発明の構成とすることは、引用発明と引用例７に記載の発明が、遊技玉の走行経路を為すレールの固定に関し共通する以上、当業者にとって格別困難なく想起し得た事項にすぎない。
ii.　相違点２について
　レールのような長尺物を何らかの固定対象に取り付ける際、その位置決めを長尺物の端部で行うことは、長尺物全体をスムーズに取り付けるために当業者が当然に留意すべき事項であり、レールの一端において固定用の貫通穴を設けることは、パチンコ球を誘導するレールを固定するために、該レールに貫通穴を設け、ビスを貫通させて固定することが引用例２，３等に記載されているように周知技術であることを考慮すれば当業者にとって格別困難なことではない。
　そして、一方の部材と他方の部材との間に所定の部材を固定する際に、それらを貫くビスにより螺合して固定することが引用例４等に記載されているように周知技術であるので、引用発明における、取付基板１９と外バンド４との間に、レールの貫通穴を位置させ、取付基板１９と外バンド４とを固定するためのビスが、該貫通穴を挿通する状態で螺合するように構成することは、当業者にとって格別困難なことではないというべきである。
　
　そして、本願発明のレールのガタ付きやズレを防止するという作用・効果やその他の作用・効果は、引用発明、引用例７に記載の発明及び周知技術より当業者が予測し得る範囲内のものである。
　したがって、本願発明は、引用発明、引用例７に記載の発明及び周知技術に基づいて当業者が容易に発明をすることができたものである。
　
４．むすび
　以上のとおりであるから、請求項１に係る発明は、引用発明、引用例７に記載された発明及び周知技術に基づいて当業者が容易に発明をすることができたものであるので、特許法第２９条第２項の規定により特許を受けることができない。
　請求項１に係る発明が特許を受けることができないものである以上、この特許出願について拒絶をすべき旨の査定をしなければならないから、請求項２に係る発明については検討するまでもないものである。
　よって、結論のとおり審決する。